(57)【特許請求の範囲】
【請求項１】
カラオケマイクにおける入力音声を電気信号に変換する際の周波数特性タイプを複数の中から選択可能とし、任意の周波数特性タイプが選択されると、当該周波数特性タイプに割り当てられているトーン周波数にて、カラオケマイクからマイクレシーバに対してトーン信号を送信するカラオケマイクシステムであって、
周波数特性タイプ特定手段と、カラオケマイクに対してトーン周波数チャンネルを設定する第１のトーン周波数チャンネル設定手段と、マイクレシーバに対してトーン周波数チャンネルを設定する第２のトーン周波数チャンネル設定手段と、を備え、
前記周波数特性タイプ特定手段は、所定の条件に基づき、前記複数の周波数特性タイプの中から一の周波数特性タイプを特定し、
前記第１のトーン周波数チャンネル設定手段は、前記複数の周波数特性タイプ毎に割り当てられた異なるトーン周波数に対応するトーン周波数チャンネルを管理してなるトーン周波数チャンネル管理テーブルを参照して、カラオケマイクからマイクレシーバに対してトーン信号を送信するためのトーン周波数チャンネルとして、前記特定された周波数特性タイプに対応したトーン周波数チャンネルを、カラオケマイクに設定し、
前記第２のトーン周波数チャンネル設定手段は、前記第１のトーン周波数チャンネル設定手段により設定されたトーン周波数チャンネルと同一のトーン周波数チャンネルを、マイクレシーバに設定する、
ことを特徴とするカラオケマイクシステム。
【請求項２】
周波数特性タイプ選択手段をさらに備え、
前記周波数特性タイプ選択手段は、周波数特性タイプを複数記憶した周波数特性管理テーブル、及び利用者毎に設定された利用者ＩＤと当該利用者が所望する周波数特性タイプとを紐付けして構成された利用者別周波数特性タイプ管理テーブルを参照して、現にシステムログインしている利用者の利用者ＩＤに対応する周波数特性タイプを選択し、
前記周波数特性タイプ特定手段は、前記複数の周波数特性タイプの中から、前記選択された周波数特性タイプを特定する、
ことを特徴とする請求項１に記載のカラオケマイクシステム。
【請求項３】
周波数特性タイプ選択手段をさらに備え、
前記周波数特性タイプ選択手段は、周波数特性タイプを複数記憶した周波数特性管理テーブル、及びカラオケ楽曲毎に設定された楽曲ＩＤと当該カラオケ楽曲に割り当てられた周波数特性タイプとを紐付けして構成された楽曲別周波数特性タイプ管理テーブルを参照して、演奏されるカラオケ楽曲の楽曲ＩＤに対応する周波数特性タイプを選択し、
前記周波数特性タイプ特定手段は、前記複数の周波数特性タイプの中から、前記選択された周波数特性タイプを特定する、
ことを特徴とする請求項１に記載のカラオケマイクシステム。
【請求項４】
周波数特性タイプ選択手段をさらに備え、
前記周波数特性タイプ選択手段は、周波数特性タイプを複数記憶した周波数特性管理テーブル、及びカラオケ楽曲のジャンルを示す楽曲ジャンルＩＤと当該楽曲ジャンルに割り当てられた周波数特性タイプとを紐付けして構成されたジャンル別周波数特性タイプ管理テーブルを参照して、演奏されるカラオケ楽曲の楽曲ジャンルＩＤに対応する周波数特性タイプを選択し、
前記周波数特性タイプ特定手段は、前記複数の周波数特性タイプの中から、前記選択された周波数特性タイプを特定する、
ことを特徴とする請求項１に記載のカラオケマイクシステム。
【発明の詳細な説明】
【技術分野】
【０００１】
本発明は、カラオケマイクにおける入力音声を電気信号に変換する際の周波数特性に予め割り当てられているトーン周波数チャンネルにて、カラオケマイクからマイクレシーバに対してトーン信号を送信することが可能なカラオケマイクシステムに関するものである。
【背景技術】
【０００２】
カラオケ演奏装置を用いてカラオケを歌唱する際に、カラオケマイクにおける入力音声を電気信号に変換する際の周波数特性に応じて、歌唱の印象や、演奏とミキシングした場合の雰囲気が異なることが知られている。カラオケマイクには、メーカー別やタイプ別に固有の周波数特性があり、それぞれ低音域から高音域の間における感度が異なっている。このような周波数特性に応じて、利用者に対して快適な音響空間を提供するための技術が開示されている（例えば、特許文献１参照）
【０００３】
また、カラオケシステムでは、ワイヤレスマイクの混信を防止することを目的として、特定の搬送波周波数帯域に対応したカラオケマイクからの歌唱音声のみを選択的に抽出したり、あるいは雑音を遮断することを目的として、トーンスケルチ機構が設けられたりしている。
【０００４】
トーンスケルチ機構とは、カラオケマイクに入力された歌唱音声の変調信号に対して、予め連続した単一周波数のＡＦ信号（トーン）を重畳して送信し、マイクレシーバ側において、復調器の出力からバンドパスフィルタによりトーン信号を選択的に取り出し、トーン信号が受信されない場合は、復調器からスピーカに至る区間のどこかを半導体スイッチやリレーで遮断したり、ＡＦアンプの電源を遮断したりすることで無音状態にするものである（例えば、特許文献２参照）。
【先行技術文献】
【特許文献】
【０００５】
【特許文献１】特開２００８−２２４８１６号公報
【特許文献２】特開２００４−１２８５６６号公報
【発明の概要】
【発明が解決しようとする課題】
【０００６】
ところで、トーン信号の周波数帯域は、カラオケマイクにおける入力音声を電気信号に変換する際の周波数特性に対応する歌唱音声の音域とは異なる周波数帯域に設定されているが、歌唱音声の変調信号に対してトーン信号を重畳した場合には、このトーン信号が歌唱音声の再生に影響を与えるおそれがある。このため、歌唱音声の変調信号に対してトーン信号を重畳する場合には、使用するカラオケマイクにおける入力音声を電気信号に変換する際の周波数特性に適した周波数帯域のトーン信号を使用する必要があるが、現在、このような技術は開発されていない。
【０００７】
本発明は、上述した事情に鑑み提案されたもので、カラオケマイクにおける入力音声を電気信号に変換する際の周波数特性タイプを複数の中から選択可能とし、任意の周波数特性タイプが選択されると、当該周波数特性タイプに割り当てられているトーン周波数にて、カラオケマイクからマイクレシーバに対してトーン信号を送信することが可能なカラオケマイクシステムを提供することを目的とする。
【課題を解決するための手段】
【０００８】
本発明のカラオケマイクシステムは、上述した目的を達成するため、以下の特徴点を有している。すなわち、本発明のカラオケマイクシステムは、カラオケマイクにおける入力音声を電気信号に変換する際の周波数特性タイプを複数の中から選択可能とし、任意の周波数特性タイプが選択されると、当該周波数特性タイプに割り当てられているトーン周波数にて、カラオケマイクからマイクレシーバに対してトーン信号を送信するカラオケマイクシステムであって、周波数特性タイプ特定手段と、カラオケマイクに対してトーン周波数チャンネルを設定する第１のトーン周波数チャンネル設定手段と、マイクレシーバに対してトーン周波数チャンネルを設定する第２のトーン周波数チャンネル設定手段と、を備えたことを特徴とするものである。
【０００９】
ここで、周波数特性タイプ特定手段は、所定の条件に基づき、複数の周波数特性タイプの中から一の周波数特性タイプを特定するための手段である。第１のトーン周波数チャンネル設定手段は、複数の周波数特性タイプ毎に割り当てられた異なるトーン周波数に対応するトーン周波数チャンネルを管理してなるトーン周波数チャンネル管理テーブルを参照して、カラオケマイクからマイクレシーバに対してトーン信号を送信するためのトーン周波数チャンネルとして、特定された周波数特性タイプに対応したトーン周波数チャンネルを、カラオケマイクに設定するための手段である。第２のトーン周波数チャンネル設定手段は、第１のトーン周波数チャンネル設定手段により設定されたトーン周波数チャンネルと同一のトーン周波数チャンネルを、マイクレシーバに設定するための手段である。
【００１０】
このような構成からなるカラオケマイクシステムでは、カラオケマイクにおける入力音声を電気信号に変換する際の周波数特性タイプを複数の中から選択可能となっている。そして、周波数特性タイプ特定手段の機能により、利用者の好みや、楽曲毎あるいは楽曲のジャンル毎に適した周波数特性タイプが特定される。特定可能な周波数特性タイプは、例えば、低音域及び高音域を強調した周波数特性、高音域のみを強調した周波数特性、低音域から高音域に至るまでフラットな周波数特性等である。
【００１１】
周波数特性とトーン周波数チャンネルとの関係は、トーン周波数チャンネル管理テーブルにて管理されている。そして、第１のトーン周波数チャンネル設定手段の機能により、トーン周波数チャンネル管理テーブルを参照して、特定された周波数特性タイプに対応するトーン周波数チャンネルを把握し、このトーン周波数チャンネルをカラオケマイクに設定する。なお、トーン信号とは、トーンスケルチ機能を発揮するために、歌唱音声の変調信号に対して重畳される信号のことである。
【００１２】
また、第２のトーン周波数チャンネル設定手段の機能により、マイクレシーバで使用するトーン周波数チャンネルとして、カラオケマイクに設定されたトーン周波数チャンネルと同一のトーン周波数チャンネルを設定する。
【００１３】
また、上述した構成に加えて、周波数特性タイプ選択手段をさらに備えることが可能である。ここで、周波数特性タイプ選択手段は、周波数特性タイプを複数記憶した周波数特性管理テーブル、及び利用者毎に設定された利用者ＩＤと当該利用者が所望する周波数特性タイプとを紐付けして構成された利用者別周波数特性タイプ管理テーブルを参照して、現にシステムログインしている利用者の利用者ＩＤに対応する周波数特性タイプを選択する手段として構成することが可能である。
【００１４】
また、周波数特性タイプ選択手段は、周波数特性タイプを複数記憶した周波数特性管理テーブル、及びカラオケ楽曲毎に設定された楽曲ＩＤと当該カラオケ楽曲に割り当てられた周波数特性タイプとを紐付けして構成された楽曲別周波数特性タイプ管理テーブルを参照して、演奏されるカラオケ楽曲の楽曲ＩＤに対応する周波数特性タイプを選択するための手段として構成することが可能である。
【００１５】
さらに、周波数特性タイプ選択手段は、周波数特性タイプを複数記憶した周波数特性管理テーブル、及びカラオケ楽曲のジャンルを示す楽曲ジャンルＩＤと当該楽曲ジャンルに割り当てられた周波数特性タイプとを紐付けして構成されたジャンル別周波数特性タイプ管理テーブルを参照して、演奏されるカラオケ楽曲の楽曲ジャンルＩＤに対応する周波数特性タイプを選択するための手段として構成することが可能である。
【００１６】
周波数特性タイプ特定手段をさらに備えた場合には、周波数特性選択手段は、周波数特性タイプ特定手段により特定された周波数特性に基づいて、周波数特性が選択される。
【００１７】
このような構成からなるカラオケマイクシステムでは、周波数特性タイプ選択手段の機能により、利用者の所望に応じて設定されている周波数特性、カラオケ楽曲毎に適したものとして設定されている周波数特性、楽曲ジャンル毎に適したものとして設定されている周波数特性が選択される。そして、周波数特性タイプ特定手段により、選択された周波数特性タイプを、カラオケマイクで使用する周波数特性タイプとして特定する。
【発明の効果】
【００１８】
本発明のカラオケマイクシステムでは、カラオケマイクにおける入力音声を電気信号に変換する際の周波数特性を複数の中から選択可能となっている。そして、任意の周波数特性が選択された場合に、当該周波数特性に適したものとして割り当てられたトーン周波数チャンネルを用いて、カラオケマイクからマイクレシーバに対してトーン信号を送信する。このため、いかなる周波数特性に基づく歌唱音声の変調信号であっても、トーン信号が歌唱音声の再生に影響を与えることがなく、カラオケの歌唱を快適に楽しむことが可能となる。
【００１９】
さらに、本発明のカラオケマイクシステムでは、利用者の好みや、楽曲毎あるいは楽曲のジャンル毎に適した周波数特性タイプを、利用者の手を煩わすことなく自動的に選択・設定することができるので、さらに一層、カラオケの歌唱を快適に楽しむことが可能となる。
【図面の簡単な説明】
【００２０】
【図１】本発明の実施形態に係るカラオケマイクシステムを適用したカラオケ演奏装置の構成を示すブロック図。
【図２】本発明の実施形態に係るカラオケマイクシステムの概略構成を示すブロック図。
【図３】利用者別周波数特性タイプ管理テーブルの構成を示す説明図。
【図４】楽曲別周波数特性タイプ管理テーブルの構成を示す説明図。
【図５】ジャンル別周波数特性タイプ管理テーブルの構成を示す説明図。
【発明を実施するための形態】
【００２１】
＜カラオケマイクシステム＞
以下、図面を参照して、本発明のカラオケマイクシステムの実施形態について説明する。図１は本発明の実施形態に係るカラオケマイクシステムを適用したカラオケ演奏装置の構成を示すブロック図、図２は本発明の実施形態に係るカラオケマイクシステムの概略構成を示すブロック図である。また、図３〜図５は周波数特性タイプ管理テーブルの構成を示す説明図であり、図３は利用者別周波数特性タイプ管理テーブルの構成、図４は楽曲別周波数特性タイプ管理テーブルの構成、図５はジャンル別周波数特性タイプ管理テーブルの構成をそれぞれ示している。
【００２２】
本発明の実施形態に係るカラオケマイクシステム１００は、図２に示すように、カラオケマイク２３、マイクレシーバ２４、カラオケ本体２１により構成されるシステムであって、主要な構成要素として、周波数特性タイプ特定手段１０１、第１のトーン周波数チャンネル設定手段１０２、トーン周波数チャンネル管理テーブル１０３、第２のトーン周波数チャンネル設定手段１０６を備えている。また、これらの主要な構成要素に加えて、周波数特性タイプ選択手段１０７、周波数特性管理テーブル１０８、周波数特性タイプ管理テーブル１０９を備えた構成とすることができる。なお、周波数特性タイプ管理テーブル１０９は、利用者別周波数特性タイプ管理テーブル、楽曲別周波数特性タイプ管理テーブル、ジャンル別周波数特性タイプ管理テーブル等からなる。さらに、本実施形態では、付随的な構成要素として、周波数チャンネル識別信号送信手段１０４、周波数チャンネル識別信号受信手段１０５、周波数特性タイプ識別信号送信手段１１０、周波数特性タイプ識別信号受信手段１１１を備えている。
【００２３】
これらの手段及びテーブルは、カラオケマイク２３、マイクレシーバ２４、カラオケ本体２１に組み込まれていてもよいし、これらの装置とは別の装置として構成してもよい。なお、これらの手段及びテーブルは、ＣＰＵ、ＲＯＭ、ＲＡＭ等の機能を有するコンピュータシステムにより構成されるもので、例えば、ＲＯＭとして機能する部分に記憶されたプログラムに従ってＣＰＵとして機能する部分が動作することにより、各手段の機能が発揮される。また、各テーブルは、ＲＯＭとして機能する部分やＨＤＤ等の記憶手段に記憶することができる。
【００２４】
＜周波数特性タイプ特定手段＞
周波数特性タイプ特定手段１０１は、所定の条件に基づき、複数の周波数特性タイプの中から一の周波数特性タイプを特定するためのプログラムからなる。なお、周波数特性タイプ特定手段１０１における周波数特性の特定は、カラオケ店員やサービス要員の設定や、利用者の設定に基づいて行ってもよいし、後に詳述するように、周波数特性タイプ選択手段１０７による周波数特性タイプの選択に基づいて行ってもよい。特定される周波数特性は、例えば、低音域及び高音域を強調した周波数特性、高音域のみを強調した周波数特性、低音域から高音域に至るまでフラットな周波数特性等である。この周波数特性タイプ特定手段１０１により特定された周波数特性タイプは、第１のトーン周波数チャンネル設定手段１０２及び第２のトーン周波数チャンネル設定手段１０６におけるトーン周波数チャンネルの設定に反映される。
【００２５】
＜第１のトーン周波数チャンネル設定手段＞
第１のトーン周波数チャンネル設定手段１０２は、複数の周波数特性タイプ毎に割り当てられた異なるトーン周波数に対応するトーン周波数チャンネルを管理してなるトーン周波数チャンネル管理テーブル１０３を参照して、周波数特性タイプ特定手段１０１により特定された周波数特性タイプに基づき、カラオケマイク２３からマイクレシーバ２４に対してトーン信号を送信するためのトーン周波数チャンネルを、カラオケマイク２３に設定するためのプログラムからなる。すなわち、本実施形態のカラオケマイクシステム１００では、カラオケマイク２３における入力音声を電気信号に変換する際の周波数特性タイプを複数の中から選択可能となっており、周波数特性タイプ特定手段１０１の機能により、利用者の好みや、楽曲毎あるいは楽曲のジャンル毎に適した周波数特性タイプが特定されると、特定された周波数特性タイプに対応したトーン周波数チャンネルが、カラオケマイク２３及びマイクレシーバ２４に設定される。本実施形態における第１のトーン周波数チャンネル設定手段１０２は、カラオケマイク２３に内蔵された機能であり、この第１のトーン周波数チャンネル設定手段１０２の機能により、カラオケマイク２３に対してトーン周波数チャンネルが設定される。
【００２６】
＜トーン周波数チャンネル管理テーブル＞
トーン周波数チャンネル管理テーブル１０３は、図２に示すように、周波数特性のタイプ種別と、トーン信号の送受信に用いるトーン周波数チャンネルとを紐付けして構成したテーブルである。本実施形態では、タイプＡ、タイプＢ、タイプＣという周波数特性のタイプ種別に対して、それぞれトーン周波数チャンネル「１」、トーン周波数チャンネル「２」、トーン周波数チャンネル「３」が、適応するトーン周波数チャンネルとして設定されている。トーン周波数チャンネルは、使用するカラオケマイク２３や、選択する周波数特性に応じて適宜設定されるが、例えば、８０６．１２５〜８０９．７５０ＭＨｚの発信周波数を設定可能なＵＨＦワイヤレスマイクロホンの場合には、３０〜４０ＫＨｚの周波数の中から適切なトーン周波数チャンネルが設定される。トーン周波数チャンネル管理テーブル１０３は、例えば、カラオケマイク２３に内蔵されたＲＯＭ（図示せず）に記憶されている。
【００２７】
＜第２のトーン周波数チャンネル設定手段＞
第２のトーン周波数チャンネル設定手段１０６は、第１のトーン周波数チャンネル設定手段１０２により設定されたトーン周波数チャンネルと同一のトーン周波数チャンネルを、マイクレシーバ２４に設定するためのプログラムからなる。本実施形態における第２のトーン周波数チャンネル設定手段１０６は、マイクレシーバ２４に内蔵された機能であり、この第２のトーン周波数チャンネル設定手段１０６の機能により、マイクレシーバ２４に対して、第１の周波数チャンネルで設定されたトーン周波数チャンネルと同一のトーン周波数チャンネルが設定される。これにより、カラオケマイク２３とマイクレシーバ２４との間で、同一のトーン周波数チャンネルを用いて、トーン信号の送受信を行うことができる。
【００２８】
＜周波数チャンネル識別信号送信手段／周波数チャンネル識別信号受信手段＞
周波数チャンネル識別信号送信手段１０４は、第１のトーン周波数チャンネル設定手段１０２により設定されたトーン周波数チャンネルを、第２のトーン周波数チャンネル設定手段１０６に認識させるための識別信号を送信するためのプログラム及び機器からなる。一方、周波数チャンネル識別信号受信手段１０５は、周波数チャンネル識別信号送信手段１０４から送信されてくる識別信号を受信するためのプログラム及び機器からなる。両者の間における通信は、無線通信であってもよいし、有線通信であってもよい。本実施形態では、周波数チャンネル識別信号送信手段１０４は、カラオケマイク２３に内蔵した機能とされており、周波数チャンネル識別信号受信手段１０５は、マイクレシーバ２４に内蔵した機能とされている。
【００２９】
＜周波数特性タイプ選択手段＞
周波数特性タイプ選択手段１０７は、周波数特性管理テーブル１０８と周波数特性タイプ管理テーブル１０９とを参照して、所定の周波数特性を選択するためのプログラムである。本実施形態では、周波数特性タイプ管理テーブル１０９として、利用者別周波数特性タイプ管理テーブル、楽曲別周波数特性タイプ管理テーブル、ジャンル別周波数特性タイプ管理テーブルのうちの少なくとも１つを備えている。ここで、２つ以上の周波数特性タイプ管理テーブル１０９を備えており、特定すべき周波数特性タイプが競合する場合には、いずれの周波数特性タイプ管理テーブル１０９を優先するかが予め設定されている。
【００３０】
周波数特性タイプ選択手段１０７を備えた場合には、選択された周波数特性タイプを周波数特性タイプ特定手段１０１に認識させるために、周波数特性タイプ識別信号の送受信を行うための周波数特性タイプ識別信号送信手段１１０及び周波数特性タイプ識別信号受信手段１１１を備えた構成とする。
【００３１】
＜周波数特性管理テーブル＞
周波数特性管理テーブル１０８は、図２に示すように、周波数特性の態様と、そのタイプ種別とを紐付けして構成したテーブルであり、例えば、カラオケ本体２１のＨＤＤ３４に格納されている（図１参照）。本実施形態では、低音域及び高音域の双方を強調したＡタイプと、高音域のみを強調したＢタイプと、低音域から高音域にわたってフラットなＣタイプとが、特定可能な周波数特性として設定されている。
【００３２】
＜周波数特性タイプ識別信号送信手段／周波数特性タイプ識別信号受信手段＞
周波数特性タイプ識別信号送信手段１１０は、周波数特性タイプ選択手段１０７により選択された周波数特定タイプを周波数特性タイプ特定手段１０１に認識させるための識別信号を送信するためのプログラム及び機器からなる。一方、周波数特性タイプ識別信号受信手段１１１は、周波数特性タイプ識別信号送信手段１１０から送信されてくる識別信号を受信するためのプログラム及び機器からなる。両者の間における通信は、無線通信であってもよいし、有線通信であってもよい。本実施形態では、周波数特性タイプ識別信号送信手段１１０は、カラオケ本体２１に内蔵した機能とされており、周波数特性タイプ識別信号受信手段１１１は、カラオケマイク２３に内蔵した機能とされている。
【００３３】
＜利用者別周波数特性タイプ管理テーブル＞
利用者別周波数特性タイプ管理テーブルは、図３に示すように、システムログインした利用者ＩＤと、当該利用者ＩＤを有する利用者により選択された周波数特性タイプとを紐付けして構成したテーブルである。
【００３４】
周波数特性タイプ管理テーブル１０９として、利用者別周波数特性タイプ管理テーブルを備えている場合に、周波数特性タイプ選択手段１０７は、利用者毎に設定された利用者ＩＤと当該利用者が所望する周波数特性とを紐付けして構成した利用者別周波数特性タイプ管理テーブルを参照して、システムログインした利用者の利用者ＩＤに対応する周波数特性を選択する。図３に示す例では、利用者ＩＤ「＊＊＊＊１３」の利用者が歌唱する場合にはタイプＡが選択され、利用者ＩＤ「＊＊＊＊１７」の利用者が歌唱する場合にはタイプＢが選択され、利用者ＩＤ「＊＊＊＊２３」の利用者が歌唱する場合にはタイプＣが選択される。
【００３５】
この場合、全利用者の利用者ＩＤと周波数特性タイプとの関係を、カラオケ本体２１のＨＤＤ３４や、カラオケ演奏装置１０とネットワーク接続されたホスト装置（図示せず）の記憶領域に記憶しておき、システムログインした利用者について、利用者別周波数特性タイプ管理テーブルを作成する構成としてもよい。利用者別周波数特性タイプ管理テーブル（周波数特性タイプ管理テーブル１０９）は、例えば、カラオケ本体２１のＨＤＤ３４に記憶されている（図１参照）。
【００３６】
＜楽曲別周波数特性タイプ管理テーブル＞
楽曲別周波数特性タイプ管理テーブルは、図４に示すように、カラオケ楽曲の楽曲ＩＤと、当該楽曲ＩＤを有するカラオケ楽曲に最適な周波数特性タイプとを紐付けして構成したテーブルである。
【００３７】
周波数特性タイプ管理テーブル１０９として、楽曲別周波数特性タイプ管理テーブルを備えている場合には、周波数特性タイプ選択手段１０７は、カラオケ楽曲毎に設定された楽曲ＩＤと当該カラオケ楽曲に適した周波数特性とを紐付けして構成された楽曲別周波数特性タイプ管理テーブルを参照して、演奏されるカラオケ楽曲の楽曲ＩＤに対応する周波数特性を選択する。図４に示す例では、楽曲ＩＤ「＊＊＊＊ａ」のカラオケ楽曲が選曲された場合にはタイプＡが選択され、楽曲ＩＤ「＊＊＊＊ｂ」のカラオケ楽曲が選曲された場合にはタイプＢが選択され、楽曲ＩＤ「＊＊＊＊ｃ」のカラオケ楽曲が選曲された場合にはタイプＣが選択される。
【００３８】
この場合、全カラオケ楽曲の楽曲ＩＤと周波数特性タイプとの関係を、カラオケ本体２１のＨＤＤ３４や、カラオケ演奏装置１０とネットワーク接続されたホスト装置（図示せず）の記憶領域に記憶しておき、選曲されたカラオケ楽曲について、楽曲別周波数特性タイプ管理テーブルを作成する構成としてもよい。楽曲別周波数特性タイプ管理テーブル（周波数特性タイプ管理テーブル１０９）は、例えば、カラオケ本体２１のＨＤＤ３４に記憶されている（図１参照）。
【００３９】
＜ジャンル別周波数特性タイプ管理テーブル＞
ジャンル別周波数特性タイプ管理テーブルは、図５に示すように、カラオケ楽曲の楽曲ＩＤ、カラオケ楽曲のジャンルＩＤ、当該ジャンルに属するカラオケ楽曲に最適な周波数特性タイプを紐付けして構成したテーブルである。なお、ジャンルとは、ＪＰＯＰ、演歌、アニメソング、韓国語の楽曲、中国語の楽曲等のように、カラオケ楽曲を所定の基準に従って分類したものである。
【００４０】
周波数特性タイプ管理テーブル１０９として、ジャンル別周波数特性タイプ管理テーブルを備えている場合には、周波数特性タイプ選択手段１０７は、カラオケ楽曲のジャンルを示す楽曲ジャンルＩＤと当該楽曲ジャンルに適した周波数特性とを紐付けして構成されたジャンル別周波数特性タイプ管理テーブルを参照して、演奏されるカラオケ楽曲の楽曲ジャンルＩＤに対応する周波数特性を選択する。図５に示す例では、ＪＰＯＰのジャンルに属するカラオケ楽曲が選曲された場合にはタイプＡが選択され、演歌のジャンルに属するカラオケ楽曲が選曲された場合にはタイプＢが選択され、アニメソングのジャンルに属するカラオケ楽曲が選曲された場合にはタイプＣが選択される。
【００４１】
この場合、カラオケ楽曲のジャンルＩＤと周波数特性タイプとの関係を、カラオケ本体２１のＨＤＤ３４や、カラオケ演奏装置１０とネットワーク接続されたホスト装置（図示せず）の記憶領域に記憶しておき、選曲されたカラオケ楽曲について、ジャンル別周波数特性タイプ管理テーブルを作成する構成としてもよい。ジャンル別周波数特性タイプ管理テーブル（周波数特性タイプ管理テーブル１０９）は、例えば、カラオケ本体２１のＨＤＤ３４に記憶されている（図１参照）。
【００４２】
なお、本発明において、周波数特性タイプを自動選択しない場合には、周波数特性タイプ選択手段１０７を省略してもよい。この場合には、周波数特性管理テーブル１０８、周波数特性タイプ管理テーブル１０９、周波数特性タイプ識別信号送信手段１１０、周波数特性タイプ識別信号受信手段１１１も省略される。
【００４３】
＜カラオケ演奏装置＞
本発明のカラオケマイクシステム１００を利用するカラオケ演奏装置１０は、図１に示すように、カラオケ本体２１、カラオケリモコン装置２２、カラオケマイク２３、マイクレシーバ２４、スピーカ２５、表示装置２６、ミキシングアンプ２７を備えている。
【００４４】
＜カラオケリモコン装置＞
カラオケリモコン装置２２は、ユーザインタフェース機能を備えており、カラオケ本体２１の送受信手段３５に対して有線方式又は無線方式によりデータの送受信を行うようになっている。このカラオケリモコン装置２２は、楽曲検索手段２２ａとして機能するプログラム、楽曲索引データベース２２ｂ、カードリーダ２２ｃ、データの送受信を行うための電子回路及びプログラム、フラッシュメモリ等からなる記憶手段（図示せず）を備えている。このカラオケリモコン装置２２に付帯するスイッチ類や、入出力表示部（図示せず）に表示される各種のアイコン等を操作することにより、選曲操作等が行われる。
【００４５】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置１０で演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００４６】
＜カードリーダ＞
カードリーダ２２ｃは、任意の利用者がカラオケ演奏装置１０を利用する際に、当該利用者の利用者ＩＤを取得するための装置であり、本実施形態では、利用者がカラオケ演奏装置１０を利用する際に、利用者が所持するＩＤ媒体２８から利用者ＩＤを読み取るようになっている。カードリーダ２２ｃで読み取った利用者ＩＤは、カラオケ本体２１のＲＡＭ３３において利用者管理テーブル３３ｂとして記憶され、利用者管理手段３６で管理される。ＩＤ媒体２８は、例えば非接触型の、ＩＤカード、携帯電話、携帯情報端末等からなり、利用者ＩＤを記憶して、カードリーダ２２ｃとの間でデータの送受信を行うことができるようになっている。
＜カラオケ本体＞
カラオケ本体２１は、中央制御手段３１、ＲＯＭ３２、ＲＡＭ３３、ＨＤＤ３４、送受信手段３５、利用者管理手段３６、予約管理手段３７、音楽再生制御手段３８、映像再生制御手段３９を備えている。
【００４７】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００４８】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に、予約待ち行列３３ａ及び利用者管理テーブル３３ｂが記憶されるようになっている。
【００４９】
＜ＨＤＤ＞
ＨＤＤ３４は、大容量記憶装置として機能するもので、楽曲データベース３４ａ、映像データベース３４ｂ、周波数特性管理テーブル１０８、周波数特性タイプ管理テーブル１０９が格納されている。なお、ＨＤＤ３４に替えて、あるいはＨＤＤ３４とともに、データを書き替え可能なＤＶＤ等の大容量記憶装置を用いてもよい。
【００５０】
楽曲データベース３４ａは、演奏データ（ＭＩＤＩ（登録商標）データ）及び歌詞描出データが同期されて構成される楽曲データについて、楽曲ＩＤと対応付けてそれぞれ構成したデータベースである。演奏データは各楽曲の演奏データをデジタル化したものであり、歌詞描出データは演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。なお、上述したように、周波数特性タイプ管理テーブル１０９は、利用者別周波数特性タイプ管理テーブル、楽曲別周波数特性タイプ管理テーブル、ジャンル別周波数特性タイプ管理テーブルのうちの少なくとも１つである。
【００５１】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。
【００５２】
＜予約管理手段＞
予約管理手段３７は、利用者により楽曲検索手段２２ａの機能を用いて選曲され、送受信手段３５を介して受信した楽曲ＩＤを、選曲順に演奏予約待ち行列３３ａとしてＲＡＭ３３に格納し、管理するためのプログラムからなる。
【００５３】
＜利用者管理手段＞
利用者管理手段３６は、取得された利用者ＩＤに基づき利用者を特定して管理するためのプログラムからなる。すなわち、利用者管理手段３６では、カードリーダ２２ｃがＩＤ媒体２８から利用者ＩＤを読み取った場合に、この利用者ＩＤに基づいて利用者を特定し、利用者管理テーブル３３ｂにて管理する。取得した利用者ＩＤは、選曲予約や周波数特性タイプを特定する際に利用される。
【００５４】
＜音楽再生制御手段＞
音楽再生制御手段３８は、楽曲ＩＤに基づいて楽曲データベース３４ａから抽出された演奏データをデジタル再生するとともにアナログ変換してミキシングアンプ２７に出力するための電子回路である。ミキシングアンプ２７は、カラオケマイク２３から入力された歌唱者の歌唱音声信号と、音楽再生制御手段３８から送出される演奏音声信号とをミキシングするとともに、アンプ機能により増幅してスピーカ２５より出力させるための装置である。
【００５５】
＜映像再生制御手段＞
映像再生制御手段３９は、カラオケ楽曲の演奏中に、映像データベース３４ｂから抽出した映像データ及び楽曲データベース３４ａから抽出した楽曲データのうちの歌詞テロップデータ（歌詞文字データ）を、当該カラオケ楽曲の演奏データに同期させて表示装置２６に出力するための電子回路である。
【００５６】
＜表示装置＞
表示装置２６は、カラオケ演奏時の映像、歌詞テロップ等を表示するための装置で、例えば、液晶ディスプレイ等により構成される。
【００５７】
＜他の実施形態＞
本発明のカラオケマイクシステム１００及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００５８】
１０  カラオケ演奏装置
２１  カラオケ本体
２２  カラオケリモコン装置
２２ａ  楽曲検索手段
２２ｂ  楽曲索引データベース
２２ｃ  カードリーダ
２３  カラオケマイク
２４  マイクレシーバ
２５  スピーカ
２６  表示装置
２７  ミキシングアンプ
２８  ＩＤ媒体
３１  中央制御手段
３２  ＲＯＭ
３３  ＲＡＭ
３３ａ  予約待ち行列
３３ｂ  利用者管理テーブル
３４  ＨＤＤ
３４ａ  楽曲データベース
３４ｂ  映像データベース
３５  送受信手段
３６  利用者管理手段
３７  予約管理手段
３８  音楽再生制御手段
３９  映像再生制御手段
１００  カラオケマイクシステム
１０１  周波数特性タイプ特定手段
１０２  第１のトーン周波数チャンネル設定手段
１０３  トーン周波数チャンネル管理テーブル
１０４  周波数チャンネル識別信号送信手段
１０５  周波数チャンネル識別信号受信手段
１０６  第２のトーン周波数チャンネル設定手段
１０７  周波数特性タイプ選択手段
１０８  周波数特性管理テーブル
１０９  周波数特性タイプ管理テーブル
１１０  周波数特性タイプ識別信号送信手段
１１１  周波数特性タイプ識別信号受信手段
【図１】
0005537196.tif 000002
【図２】
0005537196.tif 000003
【図３】
0005537196.tif 000004
【図４】
0005537196.tif 000005
【図５】
0005537196.tif 000006